(57)【特許請求の範囲】
【請求項１】
自動販売機本体の下部に商品収納室を冷却する冷凍サイクルの機能部品を有する機械室を備え、前記機械室の前壁を形成する区画壁には前記機能部品に対応した位置に通風口を備え、前記通風口は左右は縦長、その他は格子状に形成され、前記縦長通風口は前記機能部品に接するよう開口部分の一辺を曲げ加工し当り部を形成されていることを特徴とする自動販売機。
【請求項２】
前記当り部はＺ型に構成されたことを特徴とする請求項１に記載の自動販売機。
【請求項３】
前記当り部は機能部品に押し付けるよう形成されたことを特徴とする請求項１または２に記載の自動販売機。
【請求項４】
縦長通風口は格子状通風口と横幅をほぼ同一に構成されたことを特徴とする請求項１から３のいずれか一項に記載の自動販売機。
【発明の詳細な説明】
【技術分野】
【０００１】
本発明は、前面扉付きの断熱筐体の下部に機械室を備え、前記機械室に商品収納室を冷却する冷凍サイクルの機能部品を備えた自動販売機において、特に機能部品の保護手段に関するものである。
【背景技術】
【０００２】
従来、この種の自動販売機は機械室に収納された冷凍サイクルの機能部品、特に熱交換器の保護のため、保護ネットを熱交換器の吸気側に配設したものがあった（特許文献１参照）。
【０００３】
図５は、特許文献に記載された従来の自動販売機の縦断面図を示すものである。図５において、自動販売機のキャビネット１と、商品収納時に開閉する扉２と、商品を収納する収納室３と、キャビネット１の下部に区画された機械室４、機械室４に配設された冷却サイクルの機能部品５とからなり、冷却サイクルの機能部品５は、凝縮器５ａ、送風ファン５ｂ、圧縮機５ｃを図示のように前後に配設され、凝縮器５ａの吸気側に保護ネット６を配設するよう構成されている。
【０００４】
以上のように構成された自動販売機について、以下その動作を説明する。
【０００５】
まず、商品収納室３は冷却サイクルにより冷却保存されている。
【０００６】
商品収納室３の冷却時に、送風ファン５ｂにより扉２の下部に設けられた吸気口より外気を取り入れ凝縮器５ａ、圧縮機５ｃを冷却する。
【０００７】
また、扉２を開いて商品収納またはメンテナンス作業を行う際、保守員の足先が凝縮器５ａに当たってフィン（アルミ箔製）が変形するのを防護する。
【特許文献１】特開２００４−２１８０６号公報
【発明の開示】
【発明が解決しようとする課題】
【０００８】
しかしながら、上記従来の構成では、保護ネットが凝縮器に隣接して配置されているため、キャビネットに足をかけた際、足先が強く保護ネットに当たった場合保護ネットがたわみ凝縮器が変形するという課題を有していた。また、保護ネットがフィンに隣接しており脱着時に凝縮器のフィンに接触し怪我をする恐れがあるするという課題を有していた。
【０００９】
本発明は、上記従来の課題を解決するもので、商品収納時に足による変形を防止し、脱着時にも怪我をしない自動販売機を提供することを目的とする。
【課題を解決するための手段】
【００１０】
上記従来の課題を解決するために、機械室の前壁を形成する区画壁には機能部品に対応した位置に通風口を備え、通風口は左右は縦長、その他は格子状に形成され、縦長通風口は機能部品に接するよう開口部分の一辺を曲げ加工し当り部を形成されていることで、商品収納時に足による変形を防止し、脱着時にも怪我をする恐れがなくなる。
【発明の効果】
【００１１】
本発明の自動販売機は、商品収納時に足による変形を防止し、脱着時にも怪我をする恐れがなくなる。
【発明を実施するための最良の形態】
【００１２】
請求項１に記載の発明は、自動販売機本体の下部に商品収納室を冷却する冷凍サイクルの機能部品を有する機械室を備え、前記機械室の前壁を形成する区画壁には前記機能部品に対応した位置に通風口を備え、前記通風口は左右は縦長、その他は格子状に形成され、前記縦長通風口は前記機能部品に接するよう開口部分の一辺を曲げ加工し当り部を形成されている前記通風口は格子状に形成することにより、商品収納時に足による変形を防止し、脱着時にも怪我をする恐れがなくなる。
【００１３】
請求項２に記載の発明は、請求項１に記載の発明において、前記当り部をＺ型に構成することにより、さらに強度が得られ、変形を防止できる。
【００１４】
請求項３に記載の発明は、請求項１または２に記載の発明において、前記当り部を機能部品に押し付けるよう形成されたことにより、冷凍サイクルが動作時に発生する振動により機能部品と当り部とのビビリ音が生じるのを防止できる。
【００１５】
請求項４に記載の発明は、請求項１から３のいずれか一項に記載の発明において、縦長通風口を格子状通風口と横幅とほぼ同一に構成することにより、縦長通風口より足先がフィンに届き変形することを防止できる。
【００１６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
図１は、本発明の実施の形態１における自動販売機の縦断面図である。
【００１８】
図１において、７は区画壁であり、機械室４の前壁を形成するようキャビネット１に取り付けられている。５ｄは取付台であり、機能部品５の凝縮器５ａ、送風ファン５ｂ、圧縮機５ｃを図示のように前後に配設している。
【００１９】
図２は、本発明の実施の形態１における自動販売機の区画壁７の斜視図である。図２において、８ａは格子状の通風口、８ｂは左右に設けられた縦長の通風口である。９は当り部であり区画壁７の縦長通風口８ｂの一部をＺ曲げ加工を行い構成されている。
【００２０】
図３は、本発明の実施の形態１における自動販売機の横断平面図である。
【００２１】
図３において、区画壁７の当り部９は凝縮器５ａ両端の保持板に押し当てるよう取り付けられている。
【００２２】
図４は、本発明の実施の形態１における自動販売機の当り部９の取り付け詳細図である。
【００２３】
図４において、区画壁７の当り部９は上下に切欠部を有し、上部の切欠部は配管１０が横断し、下部の切欠部は取付台５ｄとほぼ接する構造となっている。
【００２４】
以上のように構成された自動販売機について、以下その動作、作用を説明する。
【００２５】
まず、商品収納室３は冷却サイクルにより冷却保存されている。商品収納室３の冷却時に、送風ファン５ｂにより扉２の下部に設けられた吸気口、区画壁７の格子状の通風口８ａ、縦長の通風口８ｂより外気を取り入れ凝縮器５ａ、圧縮機５ｃを冷却する。
【００２６】
また、区画壁７は商品収納時に足により凝縮器５ａのフィン変形を防止する。
【００２７】
以上のように、本実施の形態においては、自動販売機本体の下部に商品収納室を冷却する冷凍サイクルの機能部品を有する機械室を備え、前記機械室の前壁を形成する区画壁には前記機能部品に対応した位置に通風口を備え、前記通風口は左右は縦長、その他は格子状に形成され、前記縦長通風口は前記機能部品に接するよう開口部分の一辺を曲げ加工し当り部を形成されている前記通風口は格子状に形成することにより、商品収納時に足による変形を防止し、脱着時にも怪我をする恐れがなくなる。
【００２８】
また、本実施の形態では、当り部をＺ型に構成することにより、さらに強度が得られ、変形を防止できる。
【００２９】
また、本実施の形態では、当り部を機能部品に押し付けるよう形成されたことにより、冷凍サイクルが動作時に発生する振動により機能部品と当り部とのビビリ音が生じるのを防止できる。
【００３０】
また、本実施の形態では、縦長通風口を格子状通風口と横幅とほぼ同一に構成することにより、縦長通風口より足先がフィンに届き変形することを防止できる。
【産業上の利用可能性】
【００３１】
以上のように、本発明にかかる自動販売機は区画壁の変形を防止できるので、冷蔵庫の機械室の区画壁にも適用できる。
【図面の簡単な説明】
【００３２】
【図１】本発明の実施の形態１における自動販売機の縦断面図
【図２】本発明の実施の形態１における自動販売機の区画壁の斜視図
【図３】本発明の実施の形態１における自動販売機の横断平面図
【図４】本発明の実施の形態１における自動販売機の当り部の取り付け詳細図
【図５】従来の自動販売機の縦断面図
【符号の説明】
【００３３】
３    商品収納室
４    機械室
５    冷却サイクルの機能部品
７    区画壁
８ａ  格子状の通風口
８ｂ  縦長の通風口
９    当り部
【図１】
0005176566.tif 000002
【図２】
0005176566.tif 000003
【図３】
0005176566.tif 000004
【図４】
0005176566.tif 000005
【図５】
0005176566.tif 000006